(57)【要約】【課題】ＡＧＣ動作において、アンテナ切り替えによる不安定な部分の無線受信信号を受信データとして使用することを防ぐ。【解決手段】瞬時電力計算部５は、携帯端末の起動時におけるダイレクトコンバージョン受信機１００の設定ゲインの更新周期を早くする高速動作中に、アンテナ切り替え機２を制御してアンテナ１ａ，１ｂを所定回数切り替える。そして、瞬時電力計算部５は、アンテナ１ａ，１ｂを切り替える度に無線受信信号の瞬時無線電力を計算し、計算した瞬時無線電力値をアンテナ１ａ，１ｂ毎にメモリ６に保存する。瞬時電力大小判定部７は、高速動作の最後に、メモリ６に保存されているアンテナ１ａ，１ｂ毎の無線受信信号の瞬時無線電力値の大小を判定し、アンテナ切り替え機２を制御して瞬時無線電力値が大きなアンテナ１ａ，１ｂのどちらか一方への固定化を行う。【選択図】      図１
2004328581.tif 000002
【特許請求の範囲】
【請求項１】
ＡＧＣ受信機を用いた携帯端末のアンテナ切り替え方法において、
前記携帯端末の起動時における前記ＡＧＣ受信機の設定ゲインの更新周期を早くする高速動作中に、前記携帯端末の複数のアンテナを所定回数切り替える第１のステップと、
前記高速動作中に前記複数のアンテナを切り替える度に前記ＡＧＣ受信機から出力された無線受信信号の瞬時無線電力を計算し、計算した瞬時無線電力値を前記複数のアンテナ毎に保存する第２のステップと、
前記高速動作の最後に、前記複数のアンテナ毎の無線受信信号の瞬時無線電力値の大小を判定し、前記複数のアンテナのうち瞬時無線電力値が最も大きなアンテナへの固定化を行う第３のステップとを有することを特徴とするＡＧＣ受信機を用いたアンテナ切り替え方法。
【請求項２】
前記第２のステップは、
前記高速動作中に前記複数のアンテナを切り替える度に、前記ＡＧＣ受信機から出力された無線受信信号の平均電力値を計算する第４のステップと、
前記高速動作中に前記複数のアンテナを切り替える度に、前記第４のステップで計算された無線受信信号の平均電力値に基づいて前記ＡＧＣ受信機に設定するゲインを計算し、計算したゲイン値を前記ＡＧＣ受信機に設定する第５のステップと、
前記高速動作中に前記複数のアンテナを切り替える度に、前記第４のステップで計算された平均電力値および前記第５のステップで計算されたゲイン値に基づいて、前記ＡＧＣ受信機から出力された無線受信信号の瞬時無線電力を計算する第６のステップとを含む、請求項１に記載のＡＧＣ受信機を用いたアンテナ切り替え方法。
【請求項３】
前記第４のステップは、前記ＡＧＣ受信機がダイレクトコンバージョン方式の受信機である場合、前記高速動作中に前記アンテナを切り替えてから前記ダイレクトコンバージョン方式固有のＧＣＡの安定化時間が経過した後に、前記ＡＧＣ受信機から出力された無線受信信号の平均電力を計算するステップである、請求項２に記載のＡＧＣ受信機を用いたアンテナ切り替え方法。
【請求項４】
ＡＧＣ受信機を有する携帯端末において、
複数のアンテナと、
前記複数のアンテナを切り替えるアンテナ切り替え手段と、
前記携帯端末の起動時における前記ＡＧＣ受信機の設定ゲインの更新周期を早くする高速動作中に、前記アンテナ切り替え手段を制御して前記複数のアンテナを所定回数切り替えるとともに、前記複数のアンテナを切り替える度に前記ＡＧＣ受信機から出力された無線受信信号の瞬時無線電力を計算し、計算した瞬時無線電力値を前記複数のアンテナ毎に所定の保存手段に保存する瞬時電力計算手段と、
前記高速動作の最後に、前記複数のアンテナ毎の無線受信信号の瞬時無線電力値の大小を判定し、前記アンテナ切り替え手段を制御して前記複数のアンテナのうち瞬時無線電力値が最も大きなアンテナへの固定化を行う瞬時電力大小判定手段とを有することを特徴とする携帯端末。
【請求項５】
前記高速動作中に前記瞬時電力計算手段が前記複数のアンテナを切り替える度に前記ＡＧＣ受信機から出力された無線受信信号の平均電力値を計算する平均電力計算手段と、
前記高速動作中に前記瞬時電力計算手段が前記複数のアンテナを切り替える度に、前記平均電力計算手段により計算された平均電力値に基づいて前記ＡＧＣ受信機に設定するゲインを計算し、計算したゲイン値を前記ＡＧＣ受信機に設定するゲイン計算手段とをさらに有し、
前記瞬時電力計算手段は、前記高速動作中に前記複数のアンテナを切り替える度に、前記平均電力計算手段により計算された平均電力値および前記ゲイン計算手段により計算されたゲイン値に基づいて、前記ＡＧＣ受信機から出力された無線受信信号の瞬時無線電力を計算する、請求項４に記載の携帯端末。
【請求項６】
前記平均電力計算手段は、前記ＡＧＣ受信機がダイレクトコンバージョン方式の受信機である場合、前記高速動作中に前記アンテナを切り替えてから前記ダイレクトコンバージョン方式固有のＧＣＡの安定化時間が経過した後に、前記ＡＧＣ受信機から出力された無線受信信号の平均電力を計算する、請求項５に記載の携帯端末。
【発明の詳細な説明】
【０００１】
【発明の属する技術分野】
本発明は、ＡＧＣ（Ａｕｔｏｍａｔｉｃ  Ｇａｉｎ  Ｃｏｎｔｒｏｌ）受信機を用いた携帯電話のアンテナ切り替え方法、およびその携帯端末に関する。
【０００２】
【従来の技術】
従来、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにおいては、携帯端末において、受信品質の向上のために、異なる無線受信信号を受信する複数のアンテナを設け、複数のアンテナの各々で受信した無線受信信号を最適な利得が得られるように組み合わせることが行われている。
【０００３】
しかしながら、携帯端末は小型であるために、複雑な受信機を設けることができない。また、携帯端末は当該携帯端末を保持している人間と共に移動することから受信環境が一定ではないために、無線受信信号を組み合わせる処理が複雑になってしまう。そのため、最近では、アンテナを切り替えるだけの単純なアンテナ切り替え方法が必要とされている。
【０００４】
ところで、単純なアンテナ切り替え方法の一例として、無線受信信号の受信電力強度に基づいてアンテナの切り替えを行う方法がある。この方法では、受信電力強度は、携帯端末内に設けたＡＧＣ受信機で測定される（例えば、特許文献１参照）。このＡＧＣ受信機は、無線受信信号を当該無線受信信号のゲインをフィードバック制御しながら増幅するＡＧＣ動作を実行する受信機である。
【０００５】
【特許文献１】
特開２００２−１３５３４６号公報
【０００６】
【発明が解決しようとする課題】
しかしながら、上述したような従来技術においては、ＡＧＣ動作において、無線受信信号の受信電力強度を測定し、その測定結果に基づいてアンテナ切り替えを行っているため、アンテナ切り替えによる不安定な部分の無線受信信号を受信データとして使用する可能性があるという問題点がある。
【０００７】
そこで、本発明の目的は、ＡＧＣ動作において、アンテナ切り替えによる不安定な部分の無線受信信号を受信データとして使用することを防ぐことができるＡＧＣ受信機を用いた携帯電話のアンテナ切り替え方法、およびその携帯端末を提供することにある。
【０００８】
【課題を解決するための手段】
上記目的を達成するために本発明のＡＧＣ受信機を用いた携帯端末のアンテナ切り替え方法は、前記携帯端末の起動時における前記ＡＧＣ受信機の設定ゲインの更新周期を早くする高速動作中に、前記携帯端末の複数のアンテナを所定回数切り替える第１のステップと、前記高速動作中に前記複数のアンテナを切り替える度に前記ＡＧＣ受信機から出力された無線受信信号の瞬時無線電力を計算し、計算した瞬時無線電力値を前記複数のアンテナ毎に保存する第２のステップと、前記高速動作の最後に、前記複数のアンテナ毎の無線受信信号の瞬時無線電力値の大小を判定し、前記複数のアンテナのうち瞬時無線電力値が最も大きなアンテナへの固定化を行う第３のステップとを有することを特徴とする。
【０００９】
このように、携帯端末の起動時における高速動作中に、瞬時無線電力値の最も大きなアンテナへの固定化を行うことにより、高速動作が終了した後のＡＧＣ動作において、アンテナ切り替えによる不安定な部分の無線受信信号を受信データとして使用することを防ぐことが可能となる。なお、高速動作中は、タイミング的に無線受信信号のエンコード等の処理は行われておらず、無線受信信号を受信データとして使用することはない。
【００１０】
また、前記第２のステップは、前記高速動作中に前記複数のアンテナを切り替える度に、前記ＡＧＣ受信機から出力された無線受信信号の平均電力値を計算する第４のステップと、前記高速動作中に前記複数のアンテナを切り替える度に、前記第４のステップで計算された無線受信信号の平均電力値に基づいて前記ＡＧＣ受信機に設定するゲインを計算し、計算したゲイン値を前記ＡＧＣ受信機に設定する第５のステップと、前記高速動作中に前記複数のアンテナを切り替える度に、前記第４のステップで計算された平均電力値および前記第５のステップで計算されたゲイン値に基づいて、前記ＡＧＣ受信機から出力された無線受信信号の瞬時無線電力を計算する第６のステップとを含んでいても良い。
【００１１】
また、前記第４のステップは、前記ＡＧＣ受信機がダイレクトコンバージョン方式の受信機である場合、前記高速動作中に前記アンテナを切り替えてから前記ダイレクトコンバージョン方式固有のＧＣＡの安定化時間が経過した後に、前記ＡＧＣ受信機から出力された無線受信信号の平均電力を計算するステップであっても良い。
【００１２】
上記目的を達成するために本発明のＡＧＣ受信機を有する携帯端末は、複数のアンテナと、前記複数のアンテナを切り替えるアンテナ切り替え手段と、前記携帯端末の起動時における前記ＡＧＣ受信機の設定ゲインの更新周期を早くする高速動作中に、前記アンテナ切り替え手段を制御して前記複数のアンテナを所定回数切り替えるとともに、前記複数のアンテナを切り替える度に前記ＡＧＣ受信機から出力された無線受信信号の瞬時無線電力を計算し、計算した瞬時無線電力値を前記複数のアンテナ毎に所定の保存手段に保存する瞬時電力計算手段と、前記高速動作の最後に、前記複数のアンテナ毎の無線受信信号の瞬時無線電力値の大小を判定し、前記アンテナ切り替え手段を制御して前記複数のアンテナのうち瞬時無線電力値が最も大きなアンテナへの固定化を行う瞬時電力大小判定手段とを有することを特徴とする。
【００１３】
【発明の実施の形態】
以下に、本発明の実施の形態について図面を参照して説明する。
【００１４】
図１は、本発明の一実施形態のＡＧＣ受信機を用いた携帯端末を示す図である。
【００１５】
図１を参照すると、本実施形態の携帯端末は、アンテナ（Ａ）１ａおよびアンテナ（Ｂ）１ｂと、アンテナ切り替え機２と、平均電力計算部３と、ＡＧＣゲイン計算部４と、瞬時電力計算部５と、メモリ６と、瞬時電力大小判定部７と、Ａ／Ｄ変換部２２ａ，２２ｂと、ＡＧＣ受信機としてのダイレクトコンバージョン受信機１００とを有している。なお、この携帯端末は、ＤＳ−ＣＤＭＡ（Ｄｉｒｅｃｔ  Ｓｐｒｅａｄ−Ｃｏｄｅ  Ｄｉｖｉｓｉｏｎ  Ｍｕｌｔｉｐｌｅ  Ａｃｃｅｓｓ）システムの携帯端末である。
【００１６】
アンテナ（Ａ）１ａおよびアンテナ（Ｂ）１ｂは、自己の携帯端末宛の無線受信信号を受信する。
【００１７】
アンテナ切り替え機２は、アンテナ（Ａ）１ａまたはアンテナ（Ｂ）１ｂのどちらか一方を選択し、選択したアンテナにより受信した無線受信信号をダイレクトコンバージョン受信機１００に出力する。
【００１８】
ダイレクトコンバージョン受信機１００は、ダイレクトコンバージョン方式を採用したＡＧＣ受信機であり、搬送波周波数を中間周波数を介さずに直接ベースバンド周波数へ変換して受信動作を行うため、中間周波数（ＩＦ）フィルタが不要となるという利点がある。
【００１９】
また、ダイレクトコンバージョン受信機１００は、ゲイン制御器１０７を有しており、携帯端末の起動時に、無線受信信号を目標のゲインに高速に収束させるために、ゲイン制御器１０７の設定ゲインの更新周期を早くしたモードを持つタイプである。
【００２０】
なお、ゲイン制御器１０７は、ダイレクトコンバージョン方式固有のＧＣＡ（Ｇａｉｎ  Ｃｏｎｔｒｏｌ  ａｍｐｌｉｆｉｅｒ）で構成されていない場合もあるが、本実施形態ではＧＣＡで構成されている、または複数のＧＣＡをコントロールしている構成であるものとする。ＧＣＡは安定化するまでに時間がかかるという特徴を有している。
【００２１】
ダイレクトコンバージョン受信機１００の構成としては、上述のゲイン制御器（ＧＣＡ）１０７の他、高周波増幅器１０１と、直交ミキサ１０２ａ，１０２ｂと、局部発信器１０３と、９０°位相器１０４と、ＬＰＦ１０５ａ，１０５ｂと、既定帯域増幅器１０６ａ，１０６ｂと、ゲイン制御器１０７とを有している。
【００２２】
ダイレクトコンバージョン受信機１００においては、アンテナ切り替え機２から出力された無線受信信号が高周波増幅器１０１を経由し、直交ミキサ１０２ａ，１０２ｂにてＩ成分、Ｑ成分の各々に直交変換される。そのため、直交ミキサ１０２ａ，１０２ｂには、局部発信器１０３の出力と、局部発信器１０３の出力となる局部発信周波数の直交成分であって９０°位相器１０４の出力とが各々供給される。直交ミキサ１０２ａから出力されるＩ信号は、ＬＰＦ１０５ａおよび既定帯域増幅器１０６ａを経由してＡ／Ｄ変換部２２ａに入力され、一方、直交ミキサ１０２ｂから出力されるＱ信号は、ＬＰＦ１０５ｂおよび既定帯域増幅器１０６ｂを経由してＡ／Ｄ変換部２２ｂに入力される。このとき、高周波増幅器１０１および既定帯域増幅器１０６ａ，１０６ｂは、ゲイン制御器（ＧＣＡ）１０７の設定ゲインで無線受信信号を増幅する。
【００２３】
Ａ／Ｄ変換部２２ａおよび２２ｂは、ダイレクトコンバージョン受信機１００から各々出力されたＩ信号およびＱ信号を、アナログデータからデジタルデータにＡ／Ｄ変換し、平均電力計算部３に出力する。
【００２４】
平均電力計算部３は、Ａ／Ｄ変換部２２ａおよび２２ｂから各々出力されたＩ信号およびＱ信号の平均電力を計算し、計算した平均電力値をＡＧＣゲイン計算部４および瞬時電力計算部５に出力する。
【００２５】
ＡＧＣゲイン計算部４は、平均電力計算部３から出力された平均電力値に基づいて、ダイレクトコンバージョン受信機１００内のゲイン制御器（ＧＣＡ）１０７に設定するゲインを計算し、計算したゲイン値をゲイン制御器（ＧＣＡ）１０７および瞬時電力計算部５に出力する。なお、ＡＧＣゲイン計算部４は、計算したゲイン値を必要とされるタイミングまで保持する機能を備えており、計算したゲイン値をそのタイミングまで保持した後に出力する。
【００２６】
瞬時電力計算部５は、ＡＧＣゲイン計算部４から出力されたゲイン値の逆数と平均電力計算部３から出力された平均電力値とに基づいて無線受信信号の瞬時の受信電力を計算し、計算した瞬時受信電力値をメモリ６に保存する。このとき、瞬時電力計算部５は、メモリ６に保存されている瞬時受信電力値があるときは、計算した瞬時受信電力値とメモリ６に保存されている瞬時受信電力値とを加算し、その加算結果をメモリ６に保存する。
【００２７】
メモリ６は、アンテナ（Ａ）１ａおよびアンテナ（Ｂ）１ｂ毎に、瞬時電力計算部５により計算された瞬時受信電力値を保存する。
【００２８】
瞬時電力大小判定部７は、メモリ６に保存されているアンテナ（Ａ）１ａおよびアンテナ（Ｂ）１ｂの瞬時受信電力値の大小を判定し、アンテナ切り替え機２を制御して瞬時受信電力値が大きいアンテナへの固定化を行う。このとき、瞬時電力大小判定部７は、瞬時電力計算部５にて瞬時受信電力を複数回計算している場合、瞬時受信電力を平均化した値で比較を行う。
【００２９】
以下に、図１に示した携帯端末の動作について、図１、図２、および図３を参照して説明する。
【００３０】
図２は、図１に示した携帯端末の起動時において、無線受信信号を目標のゲインに高速に収束させるためにダイレクトコンバージョン受信機１００内のゲイン制御器（ＧＣＡ）１０７の設定ゲインの更新周期を早くした高速動作を説明する図である。図３は、図１に示した携帯端末の起動時における高速動作の最後に行われ、高速動作から通常のＡＧＣ動作に移行する時の動作を説明する図である。
【００３１】
なお、本実施形態においては、携帯端末の起動時における高速動作において、後述する一連の動作をアンテナ（Ａ）１ａおよびアンテナ（Ｂ）１ｂの各々について４回行った後に、高速動作から通常のＡＧＣ動作に切り替わることを想定している。また、高速動作の最後には、アンテナ（Ａ）１ａまたはアンテナ（Ｂ）１ｂのどちらかへの固定化も行うものとする。また、アンテナ（Ａ）１ａまたはアンテナ（Ｂ）１ｂのどちらかに固定した後は、アンテナ切り替えを行わない通常のＡＧＣ動作に移行するものとする。
【００３２】
図２を参照すると、本携帯端末の起動時となる時刻ｔ１においては、アンテナ切り替え機２によりアンテナ（Ａ）１ａが選択されており、アンテナ（Ａ）１ａの無線受信信号がダイレクトコンバージョン受信機１００に入力される。
【００３３】
時刻ｔ１においては、ダイレクトコンバージョン受信機１００内のゲイン制御器（ＧＣＡ）１０７の設定ゲインは初期値になっている。そのため、アンテナ（Ａ）１ａの無線受信信号は、ダイレクトコンバージョン受信機１００により初期値のゲインで増幅され、Ａ／Ｄ変換部２２ａ，２２ｂによりデジタル信号にＡ／Ｄ変換された後、平均電力計算部３により平均電力が計算される。
【００３４】
なお、平均電力計算部３が平均電力を計算する期間は、図２（図３も同様）に示されるように、ゲイン制御器（ＧＣＡ）１０７の設定ゲインの更新周期およびゲイン制御器（ＧＣＡ）１０７の安定化時間を考慮した期間である。具体的には、平均電力計算部３が平均電力を計算する期間は、ゲイン制御器（ＧＣＡ）１０７の設定ゲインの更新周期内で、ゲイン制御器（ＧＣＡ）１０７の安定化時間が経過した後の期間となる（時刻ｔ６〜ｔ７、時刻ｔ９〜ｔ１０、時刻ｔ１２〜ｔ１３）。ただし、ゲイン制御器（ＧＣＡ）１０７の設定ゲインが初期値である場合、ゲイン制御器（ＧＣＡ）１０７の安定化時間が既に経過していると考えられるため、平均電力計算部３が平均電力を計算する期間は、ゲイン制御器（ＧＣＡ）１０７の設定ゲインの更新周期内の任意の期間となる（時刻ｔ１〜ｔ２、時刻ｔ３〜ｔ４）。
【００３５】
平均電力計算部３が時刻ｔ１の時点で選択中のアンテナ（Ａ）１ａの無線受信信号の平均電力を計算する場合、時刻ｔ１の時点でゲイン制御器（ＧＣＡ）１０７の設定ゲインは初期値である。そのため、平均電力計算部３は、ゲイン制御器（ＧＣＡ）１０７の設定ゲインの更新周期内の任意の期間（時刻ｔ１〜ｔ２）内の受信電力の平均値を計算し、この期間の最後に平均電力値をＡＧＣゲイン計算部４および瞬時電力計算部５に出力する。
【００３６】
瞬時電力計算部５は、時刻ｔ２において、平均電力計算部３からアンテナ（Ａ）１ａの無線受信信号の平均電力値が出力されると、アンテナ切り替え機２を制御してアンテナ（Ａ）１ａをアンテナ（Ｂ）１ｂに切り替える。なお、アンテナ（Ｂ）１ｂへの切り替えは時刻ｔ３で終了する。
【００３７】
さらに、瞬時電力計算部５は、時刻ｔ２において、平均電力計算部３から出力されたアンテナ（Ａ）１ａの無線受信信号の平均電力値を、当該平均電力値が算出された時点でＡＧＣゲイン計算部４から得ているゲイン値で割ることにより、アンテナ（Ａ）１ａの無線受信信号の瞬時受信電力を計算する。
【００３８】
そして、瞬時電力計算部５は、時刻ｔ３において、上記で計算したアンテナ（Ａ）１ａの無線受信信号の瞬時受信電力値をメモリ６に保存する。このとき、瞬時電力計算部５は、メモリ６に保存されている瞬時受信電力値があるときは、計算した瞬時受信電力値とメモリ６に保存されている瞬時受信電力値とを加算し、その加算結果をメモリ６に保存する。また、瞬時電力計算部５は、アンテナ（Ａ）１ａおよびアンテナ（Ｂ）１ｂ毎に、瞬時受信電力値をメモリ６に保存する。
【００３９】
一方、ＡＧＣゲイン計算部４は、時刻ｔ３において、平均電力計算部３から出力されたアンテナ（Ａ）１ａの無線受信信号の現在の平均電力値と、無線受信信号の収束目標との差分に基づき、今回ゲイン制御器（ＧＣＡ）１０７に設定するゲインを計算する。
【００４０】
なお、ＡＧＣゲイン計算部４がゲイン制御器（ＧＣＡ）１０７にゲインを設定するタイミングは、図２（図３も同様）に示されているように、平均電力計算部３にて次に行われる平均電力の計算が終了したタイミング（時刻ｔ４、時刻ｔ７、時刻ｔ１０、時刻ｔ１３）となり、それまでの間は計算したゲイン値を保持する。
【００４１】
ＡＧＣゲイン計算部４が時刻ｔ３でゲインを計算した場合、平均電力計算部３にて次に行われる平均電力の計算が終了する時刻は時刻ｔ４である。そのため、ＡＧＣゲイン計算部４は、時刻ｔ４において、上記で計算したゲイン値をゲイン制御器（ＧＣＡ）１０７および瞬時電力計算部５に出力する。
【００４２】
上記で説明した処理により、アンテナ（Ａ）１ａの無線受信信号についての一連の動作が１回終了する。
【００４３】
また、時刻ｔ３において、アンテナ切り替え機２によるアンテナ（Ｂ）１ｂへの切り替えが終了すると、アンテナ（Ｂ）１ｂの無線受信信号がダイレクトコンバージョン受信機１００に入力される。
【００４４】
時刻ｔ３においては、ダイレクトコンバージョン受信機１００内のゲイン制御器（ＧＣＡ）１０７の設定ゲインは初期値のままである。そのため、アンテナ（Ｂ）１ｂの無線受信信号は、ダイレクトコンバージョン受信機１００により初期値のゲインで増幅され、Ａ／Ｄ変換部２２ａ，２２ｂによりデジタル信号にＡ／Ｄ変換された後、平均電力計算部３により平均電力が計算される。
【００４５】
平均電力計算部３が時刻ｔ３の時点で選択中のアンテナ（Ｂ）１ｂの無線受信信号の平均電力を計算する場合、時刻ｔ３の時点でゲイン制御器（ＧＣＡ）１０７の設定ゲインは初期値である。そのため、平均電力計算部３は、ゲイン制御器（ＧＣＡ）１０７の設定ゲインの更新周期内の任意の期間（時刻ｔ３〜ｔ４）内の受信電力の平均値を計算し、この期間の最後に平均電力値をＡＧＣゲイン計算部４および瞬時電力計算部５に出力する。
【００４６】
瞬時電力計算部５は、時刻ｔ４において、平均電力計算部３からアンテナ（Ｂ）１ｂの無線受信信号の平均電力値が出力されると、アンテナ切り替え機２を制御してアンテナ（Ｂ）１ｂをアンテナ（Ａ）１ａに切り替える。なお、アンテナ（Ａ）１ａへの切り替えは時刻ｔ５で終了する。
【００４７】
さらに、瞬時電力計算部５は、時刻ｔ４において、平均電力計算部３から出力されたアンテナ（Ｂ）１ｂの無線受信信号の平均電力値を、当該平均電力値が算出された時点でＡＧＣゲイン計算部４から得ているゲイン値で割ることにより、アンテナ（Ｂ）１ｂの無線受信信号の瞬時受信電力を計算する。
【００４８】
そして、瞬時電力計算部５は、時刻ｔ５において、上記で計算したアンテナ（Ｂ）１ｂの無線受信信号の瞬時受信電力値をメモリ６に保存する。このとき、瞬時電力計算部５は、メモリ６に保存されている瞬時受信電力値があるときは、計算した瞬時受信電力値とメモリ６に保存されている瞬時受信電力値とを加算し、その加算結果をメモリ６に保存する。また、瞬時電力計算部５は、アンテナ（Ａ）１ａおよびアンテナ（Ｂ）１ｂ毎に、瞬時受信電力値をメモリ６に保存する。
【００４９】
一方、ＡＧＣゲイン計算部４は、時刻ｔ５において、平均電力計算部３から出力されたアンテナ（Ｂ）１ｂの無線受信信号の現在の平均電力値と、無線受信信号の収束目標との差分に基づき、今回ゲイン制御器（ＧＣＡ）１０７に設定するゲインを計算する。
【００５０】
ＡＧＣゲイン計算部４が時刻ｔ５でゲインを計算した場合、平均電力計算部３にて次に行われる平均電力の計算が終了する時刻は時刻ｔ７である。そのため、ＡＧＣゲイン計算部４は、時刻ｔ７において、上記で計算したゲイン値をゲイン制御器（ＧＣＡ）１０７および瞬時電力計算部５に出力する。
【００５１】
上記で説明した処理により、アンテナ（Ｂ）１ｂの無線受信信号についての一連の動作が１回終了する。
【００５２】
本実施形態においては、上記の一連の動作をアンテナ（Ａ）１ａおよびアンテナ（Ｂ）１ｂについて各々４回行った後、図３に示す動作に移行する。
【００５３】
図３を参照すると、時刻ｔ２３において、瞬時電力計算部５により計算されたアンテナ（Ａ）１ａの無線受信信号の瞬時受信電力値（４回目）がメモリ６に保存され、時刻ｔ２６において、瞬時電力計算部５により計算されたアンテナ（Ｂ）１ｂの無線受信信号の瞬時受信電力値（４回目）がメモリ６に保存される。
【００５４】
すると、受信電力判定部７は、時刻ｔ２６において、メモリ６に保存されているアンテナ（Ａ）１ａおよびアンテナ（Ｂ）１ｂの瞬時受信電力値の平均値（または加算値）のどちらが大きいかを判定し、時刻ｔ２７において、アンテナ切り替え機２を制御して瞬時受信電力値が大きい方のアンテナへの固定化を行う。
【００５５】
そして、アンテナ（Ａ）１ａまたはアンテナ（Ｂ）１ｂのどちらか一方のアンテナへの固定化が行われた後に、アンテナ切り替えを行わない通常のＡＧＣ動作に移行する。なお、アンテナ（Ａ）１ａまたはアンテナ（Ｂ）１ｂのどちらか一方のアンテナへの固定化が行われた後も、高速動作のモードのままとし、その後の任意のタイミングで通常のＡＧＣ動作に移行することとしても良い。
【００５６】
【発明の効果】
以上説明したように本発明においては、携帯端末の起動時におけるＡＧＣ受信機の設定ゲインの更新周期を早くする高速動作中に、複数のアンテナを切り替える度に無線受信信号の瞬時無線電力を計算して保存し、高速動作の最後に、複数のアンテナ毎の無線受信信号の瞬時無線電力値の大小を判定し、瞬時無線電力値が最も大きなアンテナへの固定化を行うこととしている。
【００５７】
なお、携帯端末の起動時における高速動作中は、タイミング的に無線受信信号のエンコード等の処理は行われておらず、無線受信信号を受信データとして使用することはない。
【００５８】
そのため、本発明のように、携帯端末の起動時における高速動作中に、瞬時無線電力値の最も大きなアンテナへの固定化を行うことにより、高速動作が終了した後のＡＧＣ動作において、アンテナ切り替えによる不安定な部分の無線受信信号を受信データとして使用することを防ぐことができる。
【図面の簡単な説明】
【図１】本発明の一実施形態のＡＧＣ受信機を用いた携帯端末を示す図である。
【図２】図１に示した携帯端末の起動時における高速動作を説明する図である。
【図３】図１に示した携帯端末の起動時における高速動作の最後に行われ、高速動作から通常のＡＧＣ動作に移行する時の動作を説明する図である。
【符号の説明】
１ａ，１ｂ    アンテナ
２    アンテナ切り替え機
３    平均電力計算部
４    ＡＧＣゲイン計算部
５    瞬時電力計算部
６    メモリ
７    瞬時電力大小判定部
２２ａ，２２ｂ    Ａ／Ｄ変換部
１００    ダイレクトコンバージョン受信機
１０１    高周波増幅器
１０２ａ，１０２ｂ    直交ミキサ
１０３    局部発信器
１０４    ９０°位相器
１０５ａ，１０５ｂ    ＬＰＦ
１０６ａ，１０６ｂ    既定帯域増幅器
１０７    ゲイン制御器（ＧＣＡ）
【図１】
2004328581.tif 000003
【図２】
2004328581.tif 000004
【図３】
2004328581.tif 000005